(57)【要約】【課題】画像形成装置のトナーカートリッジの使用状況のデータベースを構築し、非純正トナーカートリッジの使用状況を得ることができる消耗品管理システムを提供する。【解決手段】画像形成装置（１）のトナーカートリッジ（１８）の使用状況を管理サーバ（４）により管理するようにした消耗品管理システム（１００）において、トナーカートリッジ（１８）はトナーＩＤを備え、画像形成装置（１）は端末ＩＤを備え、ネットワーク（２）を介して画像形成装置（１）と管理サーバ（４）とを接続可能に構成し、管理サーバ（４）の記憶部（４６）には純正トナーカートリッジに関する情報を予め登録して、管理サーバ（４）は、画像形成装置（１）の端末ＩＤと画像形成装置（１）のトナーカートリッジ（１８）のトナーＩＤとを入手し、画像形成装置（１）とトナーカートリッジ（１８）の使用状況を入手することを特徴とする。【選択図】図３
2015148751.tif 000002
【特許請求の範囲】
【請求項１】
画像形成装置に搭載されたトナーカートリッジの使用状況を管理サーバにより管理するようにした消耗品管理システムにおいて、
前記トナーカートリッジは、識別情報を備え、
前記画像形成装置は、識別情報を備えるとともに、ネットワークを介して前記管理サーバと接続可能に構成され、
前記管理サーバの記憶部には、前記画像形成装置に使用される所定のトナーカートリッジに関する情報が予め登録され、
前記管理サーバは、ネットワークを介して前記画像形成装置の識別情報と前記画像形成装置に搭載されたトナーカートリッジの識別情報とを入手するとともに、前記画像形成装置の使用状況と前記トナーカートリッジの使用状況とを入手することを特徴とする消耗品管理システム。
【請求項２】
前記管理サーバの記憶部は、ネットワークを介して接続される画像形成装置に関する情報と前記画像形成装置に使用される純正トナーカートリッジに関する情報を管理する管理テーブルを備えることを特徴とする請求項１に記載の消耗品管理システム。
【請求項３】
前記管理サーバの記憶部は、ネットワークを介して接続される画像形成装置に関する情報と前記画像形成装置に使用される非純正トナーカートリッジに関する情報を管理する管理テーブルを備えることを特徴とする請求項１または２に記載の消耗品管理システム。
【請求項４】
前記管理サーバの記憶部は、ネットワークを介して接続される画像形成装置に関する情報と前記画像形成装置毎に搭載された純正トナーカートリッジおよび非純正トナーカートリッジに関する情報を管理する管理テーブルを備えることを特徴とする請求項１から３のうちの何れか一項に記載の消耗品管理システム。
【請求項５】
前記管理サーバの記憶部には、
前記画像形成装置に搭載されたトナーカートリッジの使用状況の情報として、少なくともトナー消費量、トナーカートリッジ交換頻度のうちの何れかを含む情報が記録され、
前記画像形成装置の使用状況の情報として、少なくともトナーセンサ出力値、中間プロセスコントロール実行回数、感光体膜厚係数、平均印字率、複数枚間欠出力回数、設置地域、設置環境、ベタ画像印字回数のうちの何れかを含む情報が記録されることを特徴とする請求項１から４のうちの何れか一項に記載の消耗品管理システム。
【発明の詳細な説明】
【技術分野】
【０００１】
本発明は、消耗品管理システムに係り、特に、プリンタやファクシミリ等の画像形成装置に搭載されたトナーカートリッジの使用状況を管理する消耗品管理システムに関する。
【背景技術】
【０００２】
近年、プリンタやファクシミリ等の画像形成装置では、着脱可能なトナーカートリッジを搭載して、トナーカートリッジからトナー供給を行うようにしたものが一般的に採用されている。
【０００３】
画像形成装置に搭載されるトナーカートリッジは、ＩＣチップなどの記憶部材を備えて、トナーカートリッジの使用状況（トナーカートリッジコンディション）を記憶し、その情報に基づき画像形成装置本体でトナー消費時の各種演算を行い、各種のデータを記憶部材に記憶することが知られている。
【０００４】
しかしながら、画像形成装置で使用したトナーカートリッジは、使用済みになるとほとんどが廃棄されてしまうため、トナーカートリッジの使用状況に関する情報については、市場からのフィードバックが得られなかった。
【０００５】
トナーカートリッジを用いる従来技術としては、例えば、トナーカートリッジを使用するプリンタから、トナーカートリッジ内のトナーの残量が所定量に達したことを示す残量警告情報を獲得する残量警告獲得手段と、トナーが無くなる期日を予測する予測手段と、予測された期日までにトナーカートリッジの交換を促す警告を出力する出力手段とを備える消耗品管理システムが提案されている（特許文献１を参照）。
【０００６】
このような消耗品管理システムを利用することで、トナーにロスが発生しないようにトナーの残量から使用期限を予測し、ユーザに機器保守の負担をかけず、トナーカートリッジを用いることによるプリンタにおける利便性を維持しつつ、トナー残量が少なくなったときの利便性を向上するとともに、トナーカートリッジの回収率を向上することができる。
【０００７】
また、通信回線を利用して情報を入手する従来技術として、情報処理装置とデータ通信可能な画像形成装置において、情報処理装置から受信した印刷データに基づいてビットマップデータを生成する生成手段と、前記生成手段で生成されたビットマップデータに基づいて画像形成を行う画像形成手段と、前記画像形成手段に関するパラメータの最適化を行う制御手段とを有する画像形成装置が提案されている（特許文献２）。
【０００８】
このように画像形成装置を構成することで、市場でのユーザクレーム対応のために、サービス部門がインターネット等の通信回線を用いて、市場でのエンジン固有情報を入手して問題の原因を特定でき、同様に、通信回線を用いて、遠隔操作によりエンジンパラメータを変更することによって問題の解決を図ることができる。
【先行技術文献】
【特許文献】
【０００９】
【特許文献１】特開２００１−２２８７６１号公報
【特許文献２】特開２００３−２１５８６５号公報
【発明の概要】
【発明が解決しようとする課題】
【００１０】
しかしながら、上述した従来技術によれば、画像形成装置において、特許文献１の発明のように、トナーカートリッジを識別して、トナーカートリッジの使用期限を予測したり、特許文献２の発明のように、通信回線を利用して当該画像形成装置の固有情報を入手して画像形成装置の問題の原因を特定したりできるが、画像形成装置におけるトナーカートリッジの使用状況（トナーに応じた印字状態、トナーに対する装置の対応など）をフィードバックするようにされていなかった。
【００１１】
すなわち、画像形成装置において、トナーカートリッジ（トナー自体を含む）が装置に対応した純正品である場合の使用状況や非純正品である場合の使用状況に関する情報については、市場からのフィードバックが得られなかった。
【００１２】
本発明は、上記従来の問題点に鑑みてなされたものであって、画像形成装置に使用されているトナーカートリッジの使用状況を管理することで、トナーカートリッジ使用状況のデータベースを構築するとともに、装置に対応した非純正トナーカートリッジの使用状況を得ることができる消耗品管理システムを提供することを目的とする。
【課題を解決するための手段】
【００１３】
上述した課題を解決するための本発明に係る消耗品管理システムは、次の通りである。
本発明は、画像形成装置に搭載されたトナーカートリッジの使用状況を管理サーバにより管理するようにした消耗品管理システムにおいて、前記トナーカートリッジは、トナーカートリッジ固有の識別情報（ＩＤ情報）を備え、前記画像形成装置は、画像形成装置固有の識別情報（ＩＤ情報）を備えるとともに、ネットワーク（特にインターネット）を介して管理サーバ（特にクラウドサーバ）と接続可能に構成され、前記管理サーバの記憶部には、前記画像形成装置に使用される所定のトナーカートリッジ（装置に対応した純正のトナーカートリッジ）に関する情報（ＩＤ情報、トナー情報など）が予め登録され、前記管理サーバは、ネットワークを介して前記画像形成装置の識別情報と前記画像形成装置に搭載されたトナーカートリッジの識別情報とを入手するとともに、前記画像形成装置の使用状況と前記トナーカートリッジの使用状況とを入手することを特徴とするものである。
【００１４】
また、本発明は、前記管理サーバの記憶部には、ネットワークを介して接続される画像形成装置に関する情報と前記画像形成装置に使用される純正トナーカートリッジに関する情報を管理する管理テーブルを備えることが好ましい。
【００１５】
また、本発明は、前記管理サーバの記憶部には、ネットワークを介して接続される画像形成装置に関する情報と前記画像形成装置に使用される非純正トナーカートリッジに関する情報を管理する管理テーブルを備えることが好ましい。
【００１６】
また、本発明は、前記管理サーバの記憶部には、ネットワークを介して接続される画像形成装置に関する情報と前記画像形成装置毎に搭載された純正トナーカートリッジおよび非純正トナーカートリッジに関する情報を管理する管理テーブルを備えることが好ましい。
【００１７】
また、本発明は、前記管理サーバの記憶部には、前記画像形成装置に搭載されたトナーカートリッジの使用状況の情報として、少なくともトナー消費量、トナーカートリッジ交換頻度のうちの何れかを含む情報が記録され、前記画像形成装置の使用状況の情報として、少なくともトナーセンサ出力値、中間プロセスコントロール実行回数、感光体膜厚係数、平均印字率、複数枚間欠出力回数、設置地域、設置環境（温度、湿度）、ベタ画像印字回数のうちの何れかを含む情報が記録されることが好ましい。
【発明の効果】
【００１８】
本発明の消耗品管理システムによれば、画像形成装置に搭載されたトナーカートリッジの使用状況を管理サーバにより管理する消耗品管理システムにおいて、前記トナーカートリッジは、トナーカートリッジ固有の識別情報（ＩＤ情報）を備え、前記画像形成装置は、画像形成装置固有の識別情報（ＩＤ情報）を備えるとともに、ネットワーク（特にインターネット）を介して管理サーバ（特にクラウドサーバ）と接続可能に構成され、前記管理サーバの記憶部には、前記画像形成装置に使用される所定のトナーカートリッジ（装置に対応した純正のトナーカートリッジ）に関する情報（ＩＤ情報、トナー情報など）が予め登録され、前記管理サーバは、ネットワークを介して前記画像形成装置の識別情報と前記画像形成装置に搭載されたトナーカートリッジの識別情報とを入手するとともに、前記画像形成装置の使用状況と前記トナーカートリッジの使用状況とを入手することで、市場からの情報をフィードバックして、画像形成装置に使用されているトナーカートリッジの使用状況を管理して、トナーカートリッジ使用状況のデータベースを構築するとともに、装置に対応した非純正品のトナーカートリッジが使用された場合の使用状況を得ることができる。これにより、純正のトナーカートリッジに限らず非純正のトナーカートリッジにおいても対応可能な画像形成装置を実現することが可能になる。
【図面の簡単な説明】
【００１９】
【図１】本発明の第１実施形態に係る消耗品管理システムの構成を示す説明図である。
【図２】前記消耗品管理システムを構成する画像形成装置の構成を示すブロック図である。
【図３】前記消耗品管理システムを構成するクラウドサーバの一部の構成を示すブロック図である。
【図４】前記消耗品管理システムにおける純正トナーカートリッジ管理テーブルの一例を示す表である。
【図５】前記消耗品管理システムにおける非純正トナーカートリッジ管理テーブルの一例を示す表である。
【図６】前記消耗品管理システムにおける使用トナーカートリッジ管理テーブルの一例を示す表である。
【図７】前記消耗品管理システムにおいて画像形成装置におけるトナーカートリッジの使用状況をクラウドサーバに送信する手順を示すフローチャートである。
【図８】前記消耗品管理システムにおいてクラウドサーバにより画像形成装置に使用されるトナーカートリッジの使用状況を受信する手順を示すフローチャートである。
【発明を実施するための形態】
【００２０】
（第１実施形態）
以下、本発明を実施するための形態について図面を参照して説明する。
図１は本発明を実施する形態の一例であって、本発明の第１実施形態に係る消耗品管理システムの構成を示す説明図、図２は前記消耗品管理システムを構成する画像形成装置の構成を示すブロック図、図３は前記消耗品管理システムを構成するクラウドサーバの一部の構成を示すブロック図である。
【００２１】
第１実施形態は、図１に示すように、画像形成装置１に搭載されたトナーカートリッジ（図示省略）の使用状況をクラウドサーバ４により管理する消耗品管理システム１００であって、本発明に係る消耗品管理システムの特徴的な構成を採用したものである。
【００２２】
第１実施形態の消耗品管理システム１００は、図１に示すように、ネットワーク２を介して、画像形成装置１（１ａ，１ｂ）、クラウドサーバ（管理サーバ）４が接続されている。
【００２３】
まず、画像形成装置１について説明する。
画像形成装置１は、ファクシミリやコピー機として機能する複合機であって、図２に示すように、原稿読取部１１、画像処理部１２、画像形成部１３、制御部１４、トナー管理部１５、記憶部１６、通信部１７を備え、トナーカートリッジ１８が搭載されている。
【００２４】
原稿読取部１１は、ファックス原稿やコピー原稿から画像情報を読み取る。
画像処理部１２は、原稿読取部１１により読取られた画像情報を出力処理に対応した画像処理を行う。
画像形成部１３は、画像データに基づき画像を形成する。
制御部１４は、画像形成装置１の各部の動作を制御する。
トナー管理部１５は、画像形成装置１に使用されるトナーカートリッジ１８に関する情報を管理する。
記憶部１６は、画像形成装置固有の識別情報が予め記憶されているとともに、画像形成装置１の使用状況、トナーカートリッジ１８に関する情報やトナーカートリッジ１８の使用状況を記憶する。
通信部１７は、ネットワーク２を介してクラウドサーバ４や図示しない情報端末等と通信する。
【００２５】
トナーカートリッジ１８は、画像形成装置１に着脱可能に搭載され、トナーカートリッジ固有の識別情報が予め具備されている。例えば、識別情報は、バーコード等によりＩＤ番号を読取るようにしてもよい。
【００２６】
次に、クラウドサーバ４について説明する。
クラウドサーバ４は、ネットワーク２を介して画像形成装置１に接続され、図３に示すように、制御部４４、記憶部４６、通信部４７を備えている。
【００２７】
そして、クラウドサーバ４は、ネットワーク２を介して画像形成装置１の識別情報と画像形成装置１に搭載されたトナーカートリッジ１８の識別情報とを入手するとともに、画像形成装置１の使用状況とトナーカートリッジ１８の使用状況とを入手するように構成されている。
【００２８】
制御部４４は、クラウドサーバ４の各部の動作を制御する。
通信部４７は、ネットワーク２や画像形成装置１等と通信する。
記憶部４６は、画像形成装置１に使用される所定のトナーカートリッジに関する情報が予め登録されている。
【００２９】
具体的には、記憶部４６には、純正トナーカートリッジ管理テーブル４６１と、非純正トナーカートリッジ管理テーブル４６２と、使用トナーカートリッジ管理テーブル４６３とが具備されている。
【００３０】
純正トナーカートリッジ管理テーブル４６１は、画像形成装置１に使用される純正トナーカートリッジに関する情報として、例えば、トナーＩＤ、製造元などの情報が予め記憶されている。
【００３１】
非純正トナーカートリッジ管理テーブル４６２は、画像形成装置１に使用される非純正トナーカートリッジに関する情報として、例えば、トナーＩＤ、製造元、使用開始日などの情報を管理するものである。
【００３２】
使用トナーカートリッジ管理テーブル４６３は、画像形成装置毎に搭載された純正トナーカートリッジおよび非純正トナーカートリッジに関する情報として、例えば、トナーＩＤ、製造元、使用開始日などの情報を管理するものである。
【００３３】
以下に、クラウドサーバ４の記憶部４６に備わるトナーカートリッジ管理テーブルについて具体的に説明する。
図４は第１実施形態の消耗品管理システムにおける純正トナーカートリッジ管理テーブルの一例を示す表、図５は前記消耗品管理システムにおける非純正トナーカートリッジ管理テーブルの一例を示す表、図６は前記消耗品管理システムにおける使用トナーカートリッジ管理テーブルの一例を示す表である。
【００３４】
純正トナーカートリッジ管理テーブル４６１は、図４に示すように、画像形成装置１に使用される純正トナーカートリッジの「トナーＩＤ（トナーカートリッジのＩＤ番号）」、「製造元」が記憶されている。そして、トナーカートリッジの使用状況の情報として、「使用開始日」、トナーカートリッジが搭載された画像形成装置の「端末ＩＤ（画像形成装置のＩＤ番号）」、および「トナー残量」が記憶されている。
【００３５】
非純正トナーカートリッジ管理テーブル４６２は、図５に示すように、画像形成装置１に使用される非純正トナーカートリッジの「トナーＩＤ」、「製造元」が記憶されている。そして、トナーカートリッジの使用状況の情報として、「使用開始日」、トナーカートリッジが搭載された画像形成装置の「端末ＩＤ」、および「トナー残量」が記憶される。
【００３６】
使用トナーカートリッジ管理テーブル４６３は、図６に示すように、トナーカートリッジが搭載された画像形成装置の「端末ＩＤ」、画像形成装置毎に搭載された純正トナーカートリッジおよび非純正トナーカートリッジの「トナーＩＤ」が記憶される。そして、トナーカートリッジの使用状況の情報として、「使用開始日」、および「トナー残量」が記憶される。
【００３７】
次に、第１実施形態の消耗品管理システム１００において、クラウドサーバ４により画像形成装置１に使用されるトナーカートリッジの使用状況を管理する手順についてフローチャートに沿って説明する。
図７は第１実施形態の消耗品管理システムにおいて画像形成装置におけるトナーカートリッジの使用状況をクラウドサーバに送信する手順を示すフローチャート、図８は前記消耗品管理システムにおいてクラウドサーバにより画像形成装置に使用されるトナーカートリッジの使用状況を受信する手順を示すフローチャートである。
【００３８】
まず、第１実施形態の消耗品管理システム１００において、画像形成装置１により使用中のトナーカートリッジ１８の使用状況の情報をクラウドサーバ４に送信する処理工程について説明する。
【００３９】
第１実施形態の消耗品管理システム１００において、ユーザによって画像形成装置１にトナーカートリッジ１８が装着されると、図７に示すように、画像形成装置１においてトナーカートリッジ１８が装着されたことが検知され（ステップＳ１０１）、画像形成装置１においてトナーカートリッジ１８に具備されたバーコード等の記録部材に予め記録されているトナーＩＤ（識別情報としてのＩＤ番号）が読取られる（ステップＳ１０２）。
【００４０】
そして、画像形成装置１からインターネット等のネットワーク２を介して接続されているクラウドサーバ４に対して認証要求が行われる（ステップＳ１０３）。そして、クラウドサーバ４により画像形成装置１が認証されたか否かが判断される（ステップＳ１０４）。
【００４１】
ステップＳ１０４において、画像形成装置１がクラウドサーバ４により認証されたと判断された場合は、画像形成装置１からクラウドサーバ４に対して画像形成装置１に予め記憶されている端末ＩＤ（識別情報としてのＩＤ番号）とトナーカートリッジ１８のトナーＩＤ（識別情報としてのＩＤ番号）が送信される（ステップＳ１０５）。
【００４２】
そして、画像形成装置１からトナーカートリッジ１８の使用状況の情報として「トナー残量」が送信される（ステップＳ１０６）。「トナー残量」は、画像形成装置１においてトナーカートリッジ内のトナー残量を検出したり、トナーカートリッジから供給されるトナー供給量、出力される画像の印字率、印字枚数等に基づき算出することで求められる。
【００４３】
そして、トナーカートリッジ１８がトナーエンプティになるまでトナーカートリッジ１８の「トナー残量」の情報がクラウドサーバ４に送信される（ステップＳ１０７）。
【００４４】
そして、ステップＳ１０７において、トナーカートリッジ１８がトナーエンプティとなったと判断された場合は、クラウドサーバ４に対してトナーカートリッジ１８がトナーエンプティとなった旨の情報が送信され（ステップＳ１０８）、トナーカートリッジ１８の使用状況の情報を送信する処理工程は終了する。
【００４５】
次に、第１実施形態の消耗品管理システム１００において、クラウドサーバ４により画像形成装置１で使用中のトナーカートリッジ１８を管理する処理工程について説明する。
【００４６】
第１実施形態の消耗品管理システム１００において、クラウドサーバ４によるトナーカートリッジ１８を管理する処理が開始されると、図８に示すように、まず、クラウドサーバ４に接続されている画像形成装置１の認証が行われる（ステップＳ２０１）。そして、画像形成装置１が認証されると、クラウドサーバ４から画像形成装置１に対して認証したことを応答する（ステップＳ２０２）。
【００４７】
そして、画像形成装置１から送信される画像形成装置１の端末ＩＤとトナーカートリッジ１８のトナーＩＤを受信する（ステップＳ２０３）。
【００４８】
そして、ステップＳ２０４において、画像形成装置１から送信された情報に基づき、画像形成装置１に装着されたトナーカートリッジ１８が純正トナーカートリッジであるか否かが判断される。ステップＳ２０４では、クラウドサーバ４の記憶部４６の純正トナーカートリッジ管理テーブル４６１に予め記憶されている純正トナーカートリッジのトナーＩＤと画像形成装置１から送信されたトナーカートリッジ１８のトナーＩＤとを比較して判断される。
【００４９】
ステップＳ２０４において、画像形成装置１に装着されたトナーカートリッジ１８が純正トナーカートリッジではないと判断された場合は、クラウドサーバ４の記憶部４６の非純正トナーカートリッジ管理テーブル４６２に非純正トナーカートリッジとしてトナーＩＤが登録される（ステップＳ２０５）。そして、クラウドサーバ４の記憶部４６の使用トナーカートリッジ管理テーブル４６３に、画像形成装置毎に使用されているトナーカートリッジとしてトナーＩＤが登録される（ステップＳ２０６）。このとき、使用トナーカートリッジ管理テーブル４６３には、トナーカートリッジ１８の使用状況の情報として、使用開始日、トナー残量などが記録される。
【００５０】
一方、ステップＳ２０４において、画像形成装置１に装着されたトナーカートリッジ１８が純正トナーカートリッジであると判断された場合は、ステップＳ２０６に進み、クラウドサーバ４の記憶部４６の使用トナーカートリッジ管理テーブル４６３に、画像形成装置毎に使用されているトナーカートリッジのトナーＩＤが登録される。このとき、使用トナーカートリッジ管理テーブル４６３には、トナーカートリッジ１８の使用状況の情報として、使用開始日、トナー残量などが記録される。また、純正トナーカートリッジ管理テーブル４６１には、トナーカートリッジ１８の使用状況の情報として、使用開始日、トナー残量などが記録される。
【００５１】
そして、クラウドサーバ４は、画像形成装置１から送信されたトナーカートリッジ１８の使用状況の情報を受信して、データ更新を行う（ステップＳ２０７）。そして、トナーカートリッジ１８がトナーエンプティになるまでトナーカートリッジ１８の使用状況のデータ更新を行う（ステップＳ２０８）。
【００５２】
そして、ステップＳ２０８において、トナーカートリッジ１８がトナーエンプティとなったと判断された場合は、クラウドサーバ４はトナーカートリッジ１８がトナーエンプティとなった状況を更新して（ステップＳ２０９）、クラウドサーバ４によるトナーカートリッジ１８の管理は終了する。
【００５３】
以上のように構成したので、第１実施形態によれば、消耗品管理システム１００において、トナーカートリッジ１８には識別情報としてトナーＩＤを備え、画像形成装置１の記憶部１６には識別情報として端末ＩＤを備えるとともに、ネットワーク２を介して画像形成装置１とクラウドサーバ４とを接続可能に構成して、クラウドサーバ４の記憶部４６には画像形成装置１に使用される純正トナーカートリッジのトナーＩＤを予め登録して、クラウドサーバ４が、ネットワーク２を介して画像形成装置１の端末ＩＤと画像形成装置１に搭載されたトナーカートリッジ１８のトナーＩＤとを入手するとともに、画像形成装置１の使用状況とトナーカートリッジ１８の使用状況とを入手するようにしたので、市場における画像形成装置１の使用状況やトナーカートリッジ１８の使用状況の情報をフィードバックして、画像形成装置１に使用されているトナーカートリッジ１８の使用状況を管理することで、純正トナーカートリッジや画像形成装置に対応した非純正品のトナーカートリッジの使用状況のデータベースを構築することができる。これにより、純正トナーカートリッジに限らず非純正トナーカートリッジにおいても対応可能な画像形成装置を実現することが可能になる。
【００５４】
また、第１実施形態によれば、トナーカートリッジ１８にはＩＣチップなどのメモリ機能を搭載せずに、バーコードなど記録部材によりＩＤ番号のみを具備して、画像形成装置１にトナーカートリッジ１８の使用状況を記録するようにしたので、トナーカートリッジ１８から使用状況等の情報が漏洩することなく、いつ生産されたトナーか、もしくは非純正品（３ｒｄパーティ品）かを判定するデータベースを構築できる。
【００５５】
具体的には、クラウドサーバ４の記憶部４６に備えた純正トナーカートリッジ管理テーブル４６１、非純正トナーカートリッジ管理テーブル４６２を用いることでトナーカートリッジ１８の使用状況のデータベースを構築することができる。
【００５６】
また、第１実施形態によれば、画像形成装置１からネットワーク２を介してクラウドサーバ４へトナーカートリッジ１８のトナーＩＤを送信するようにしたので、クラウドサーバ４に予め登録されているトナー情報とトナーカートリッジ１８のトナーＩＤを照合して、画像形成装置毎、顧客毎のトナーカートリッジの使用状況を把握することができる。
【００５７】
具体的には、クラウドサーバ４の記憶部４６に備えた使用トナーカートリッジ管理テーブル４６３により、ユーザや画像形成装置に応じて使用するトナーカートリッジを一元的に管理することができる。これにより、品質問題が発生しても即時にユーザや画像形成装置を特定することが可能であり、また、トナー交換におけるデリバリ履歴などを蓄積できるので、顧客管理に役立てられる。
【００５８】
なお、第１実施形態では、クラウドサーバ４の記憶部４６に、トナーカートリッジ１８の使用状況および画像形成装置の使用状況の情報として「トナー残量」を記録するようにしているが、本発明は、トナーカートリッジ１８の使用状況および画像形成装置１の使用状況の情報をこれに限定するものではない。
【００５９】
（第２実施形態）
本発明の第２実施形態は、消耗品管理システム１００において、クラウドサーバ４で管理するトナーカートリッジ１８の使用状況の情報として、「トナー消費量」を記録することを特徴とする。
【００６０】
第２実施形態によれば、クラウドサーバ４において「トナー消費量」を管理することで、トナー消費量によって純正トナーを使用しているか否かを判断することができる。
【００６１】
例えば、印字枚数に対してトナー消費量が少ない場合は、画像濃度が低いことを示す。この場合は、純正トナーを使用していない可能性が高い。
【００６２】
（第３実施形態）
本発明の第３実施形態は、消耗品管理システム１００において、クラウドサーバ４で管理するトナーカートリッジ１８の使用状況の情報として、「トナーカートリッジの交換頻度」を記録することを特徴とする。
【００６３】
第３実施形態によれば、クラウドサーバ４において「トナーカートリッジの交換頻度」を管理することで、トナーの外添剤量の違いによって純正トナーを使用しているか否かを判断することができる。
【００６４】
例えば、トナーカートリッジの交換頻度が高い場合は、トナーカートリッジ内でトナーがブロッキングしている可能性が高い。例えば、トナーの外添剤量が少なすぎると、ブロッキングが発生しやすくなる。すなわち、純正トナーを使用していない可能性が高い。
【００６５】
（第４実施形態）
本発明の第４実施形態は、消耗品管理システム１００において、クラウドサーバ４で管理する画像形成装置の使用状況の情報として、「トナーセンサ出力値」を記録することを特徴とする。
【００６６】
第４実施形態によれば、クラウドサーバ４において「トナーセンサ出力値」を管理することで、トナーの帯電性の違いによって純正トナーを使用しているか否かを判断することができる。
【００６７】
例えば、トナーセンサ出力値が、デフォルト（例えば、２．５（Ｖ））よりもずれている場合は、帯電性の異なる非純正トナーが使用されている可能性が高い。
【００６８】
（第５実施形態）
本発明の第５実施形態は、消耗品管理システム１００において、クラウドサーバ４で管理する画像形成装置の使用状況の情報として、「中間調プロセスコントロール実行回数」を記録することを特徴とする。
【００６９】
第５実施形態によれば、クラウドサーバ４において「中間調プロセスコントロール実行回数」を管理することで、実行回数の多さによって純正トナーを使用しているか否かを判断することができる。
【００７０】
例えば、中間調プロセスコントロール実行回数が多い場合は、現像バイアス、転写バイアス、帯電電圧がデフォルト値からずれている可能性が高い。経時で画像むら、画像かぶり、トナー載り過ぎによる定着オフセットが発生しやすい。したがって、純正トナーを使用していない可能性が高い。
【００７１】
（第６実施形態）
本発明の第６実施形態は、消耗品管理システム１００において、クラウドサーバ４で管理する画像形成装置の使用状況の情報として、「感光体膜厚係数」を記録することを特徴とする。
【００７２】
第６実施形態によれば、クラウドサーバ４において「感光体膜厚係数」を管理することで、トナーの外添剤量の違いによって純正トナーを使用しているか否かを判断することができる。
【００７３】
例えば、トナーの外添剤として、チタン、マグネタイト等の金属酸化物が多く使用されている場合は、感光体の削れ量が多くなる。これにより、画像むら、画像フィルミング、画像にスジが発生する。したがって、純正トナーを使用していない可能性が高い。
【００７４】
（第７実施形態）
本発明の第７実施形態は、消耗品管理システム１００において、クラウドサーバ４で管理する画像形成装置の使用状況の情報として、「平均印字率」を記録することを特徴とする。
【００７５】
第７実施形態によれば、クラウドサーバ４において「平均印字率」を管理することで、平均印字率の割合によって純正トナーを使用しているか否かを判断することができる。
【００７６】
例えば、平均印字率が数％以下の場合、トナー補給量が少なくなるので、トナーの帯電量が非常に高くなり、画像濃度の低下や画像かぶり等の不具合が発生しやすい。純正トナーは、この点を考慮してトナー設計が行われる。したがって、純正トナーを使用していない場合は、前述した不具合が発生しやすい。
【００７７】
（第８実施形態）
本発明の第８実施形態は、消耗品管理システム１００において、クラウドサーバ４で管理する画像形成装置の使用状況の情報として、「複数枚間欠出力回数」を記録することを特徴とする。
【００７８】
第８実施形態によれば、クラウドサーバ４において「複数枚間欠出力回数」を管理することで、複数枚間欠出力した回数の多さによって純正トナーを使用しているか否かを判断することができる。
【００７９】
例えば、画像形成装置では、連続でプリントする場合と異なり、複数枚間欠でプリントすると、現像槽の回転時間が長くなり、トナーに過大な負荷がかかってトナーの帯電量が非常に高くなり、画像濃度の低下や画像かぶり等の不具合が発生しやすい。純正トナーは、この点を考慮してトナー設計が行われる。したがって、純正トナーを使用していない場合は、前述した不具合が発生しやすい。
【００８０】
（第９実施形態）
本発明の第９実施形態は、消耗品管理システム１００において、クラウドサーバ４で管理する画像形成装置の使用状況の情報として、「設置地域」を記録することを特徴とする。
【００８１】
第９実施形態によれば、クラウドサーバ４において「設置地域」を管理することで、特定地域の出力画像に画像欠陥が発生するか否かによって純正トナーを使用しているか否かを判断することができる。
【００８２】
例えば、季節による温湿度変化、一日の温湿度変化が激しい特定地域に画像形成装置が設置される場合は、特定地域に対応してトナーを変えて出荷されるため、特定地域では画像欠陥が発生しないようになっている。したがって、特定の地域で画像欠陥が発生している場合は、純正トナー使用していない可能性高い。
【００８３】
（第１０実施形態）
本発明の第１０実施形態は、消耗品管理システム１００において、クラウドサーバ４で管理する画像形成装置の使用状況の情報として、画像形成装置が設置される「設置環境」を記録することを特徴とする。
【００８４】
第１０実施形態によれば、クラウドサーバ４において「設置環境」として、例えば、装置が設置される場所の温度や湿度を管理することで、純正トナーを使用しているか否かを判断することができる。
【００８５】
例えば、画像形成装置における現像槽内では、トナー撹拌部材の回転により現像槽内の温度は上昇し、高温環境（３５℃以上）になると、さらに、トナーに負荷がかかり、トナーの帯電性が低下して画像濃度が低下する。
【００８６】
また、現像装置内の湿度が高くなり、相対湿度８５％以上になると、湿気の水分の影響により、トナーセンサで現像槽中の現像剤濃度を正確に計測できなくなる。これにより、トナーが過大に補給され、画像かぶり等の不具合が発生する。
【００８７】
純正トナーは、この点を考慮してトナー設計が行われため、純正トナーを使用していない場合は、前述した不具合が発生しやすい。
【００８８】
（第１１実施形態）
本発明の第１１実施形態は、消耗品管理システム１００において、クラウドサーバ４で管理する画像形成装置の使用状況の情報として、「ベタ画像印字回数」を記録することを特徴とする。
【００８９】
第１１実施形態によれば、クラウドサーバ４において「ベタ画像印字回数」を管理することで、ベタ画像印字が行われた回数によって純正トナーを使用しているか否かを判断することができる。
【００９０】
例えば、トナー帯電量が高くなり過ぎた場合、ベタ画像（例えば、モノクロなら全面黒ベタ画像）を連続して印字することで、強制的にトナーを消費させてトナー帯電量を下げることで対応できる。したがって、ベタ画像の印字回数が多過ぎる場合は、純正トナー使用していない可能性高い。
【００９１】
以上のように、本発明は、上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９２】
１  画像形成装置
２  ネットワーク
４  クラウドサーバ（管理サーバ）
１１  原稿読取部
１２  画像処理部
１３  画像形成部
１４  制御部
１５  トナー管理部
１６  記憶部
１７  通信部
１８  トナーカートリッジ
４４  制御部
４６  記憶部
４７  通信部
１００  消耗品管理システム
４６１  純正トナーカートリッジ管理テーブル
４６２  非純正トナーカートリッジ管理テーブル
４６３  使用トナーカートリッジ管理テーブル
【図１】
2015148751.tif 000003
【図２】
2015148751.tif 000004
【図３】
2015148751.tif 000005
【図４】
2015148751.tif 000006
【図５】
2015148751.tif 000007
【図６】
2015148751.tif 000008
【図７】
2015148751.tif 000009
【図８】
2015148751.tif 000010